(57)【要約】【課題】より順調に使用できるカバー及びそれに使用するスライダ装置を提供する。【解決手段】少なくとも１つの溝９１が形成されている一対のレール９に沿って摺動できるカバーであって、一対のレール９の間に設置されている複数の支持条２と、支持条２とレール９とに設置されているスライダ装置３００と、カバーシートと、を備え、スライダ装置３００は、スライダ本体６１と、ロール６２と、溝９１を引っかけるフックユニット６３と、を備えるスライダ６を備え、フックユニット６３は、溝９１を引っかけるフック６３１と、フック６３１が溝９１を引っかける付勢力を与える付勢部６３２と、を備え、フック６３１は、溝９１を引っかけるフック体６３４を備える。【選択図】図４
0003234674.tif 000002
【実用新案登録請求の範囲】
【請求項１】
前後方向に沿って延伸しながら互いに前記前後方向と非平行な左右方向において間隔が開くように設置されており、且つ、それぞれに前記前後方向に沿って延伸する少なくとも１つの溝が形成されている一対のレールに沿って摺動できるように前記一対のレールに設置して使用するカバーであって、
前記前後方向において間隔が開くように前記一対のレールの間に設置されており、且つ、それぞれが前記左右方向に沿って延伸する複数の支持条と、
前記一対のレールに沿って摺動できるように各前記支持条の左右両端と前記一対のレールとに設置されている複数対のスライダ装置と、
各前記支持条が各前記スライダ装置と共に前記一対のレールに沿って摺動することにより、展開または折り畳まれることができるように前記支持条同士の間に設置されている複数のカバーシートと、を備え、
各前記スライダ装置は、前記レールに沿って摺動できるように前記レールに設置されているスライダを備え、
前記スライダは、
前記レールを貫通させることにより前記レールを設置するための設置空間を画成するように構成されているスライダ本体と、
前記設置空間で回転可能に前記スライダ本体に設置されていて、該回転により摺動可能に前記レールと接触するロールと、
前記溝に沿って摺動可能になるよう前記溝に引っかけることができるように前記スライダ本体に回転可能に設置されているフックユニットと、を備え、
前記フックユニットは、
前記溝に沿って摺動可能になるよう前記溝に引っかけることができるように前記スライダ本体に回転可能に枢設されているフックと、
前記スライダ本体と前記フックとに付勢するように前記スライダ本体と前記フックとに当接している付勢部と、を備え、
前記フックは、前記溝に沿って摺動可能になるよう前記溝に引っかけることができるように構成されているフック体を備え、
前記付勢部は、前記フック体を前記溝に引っかける付勢力を与えるように設置されていることを特徴とするカバー。
【請求項２】
前後方向に沿って延伸しており、且つ、それぞれに前記前後方向に沿って延伸する少なくとも１つの溝が形成されているレールに沿って摺動できるように前記レールに設置して使用するスライダ装置であって、
前記スライダ装置は、前記レールに沿って摺動できるように前記レールに設置されているスライダを備え、
前記スライダは、
前記レールを貫通させることにより前記レールを設置するための設置空間を画成するように構成されているスライダ本体と、
前記設置空間で回転可能に前記スライダ本体に設置されていて、該回転により摺動可能に前記レールと接触するロールと、
前記溝に沿って摺動可能になるよう前記溝に引っかけることができるように前記スライダ本体に回転可能に設置されているフックユニットと、を備え、
前記フックユニットは、
前記溝に沿って摺動可能になるよう前記溝に引っかけることができるように前記スライダ本体に回転可能に枢設されているフックと、
前記スライダ本体と前記フックとに付勢するように前記スライダ本体と前記フックとに当接している付勢部と、を備え、
前記フックは、前記溝に沿って摺動可能になるよう前記溝に引っかけることができるように構成されているフック体を備え、
前記付勢部は、前記フック体を前記溝に引っかける付勢力を与えるように設置されていることを特徴とするスライダ装置。
【請求項３】
前記スライダ本体は、
前記前後方向と非平行な上下方向において前記レールより高い位置に配置されているベース部と、
前記ベース部の前記前後方向及び前記上下方向と非平行な左右方向における両端から下へ延伸している２つの側部と、を備え、
少なくとも１つの前記側部には、前記フックユニットを設置するための設置槽が形成されていることを特徴とする請求項２に記載のスライダ装置。
【請求項４】
前記左右方向に沿って延伸する長状のガイド槽が形成されていると共に、前記スライダの上側に設置されている連接部材を更に備え、
前記スライダ本体は、前記スライダが前記連接部材に対して前記左右方向に沿って移動できるように、前記ベース部から上方へ延伸して前記ガイド槽で前記左右方向に沿って移動可能に前記ガイド槽に受け入れられている突起部を更に備えることを特徴とする請求項３に記載のスライダ装置。
【請求項５】
前記スライダ本体は、前記ベース部の上面に、前記連接部材と前記ベース部との接触面間に生じる摺動摩擦を減少させるように形成されている機能部を更に備えることを特徴とする請求項４に記載のスライダ装置。
【請求項６】
前記機能部は、凹んだ槽、条状の突起、点状の突起またはつや消し構造に形成されていることを特徴とする請求項５に記載のスライダ装置。
【請求項７】
前記ガイド槽より高い位置で前記突起部に設置されていると共に、形が前記ガイド槽の形より大きく形成されているプレートを更に備えることを特徴とする請求項４〜請求項６のいずれか一項に記載のスライダ装置。
【請求項８】
前記フックは、前記フック体が設置されている本体と、前記本体の前記前後方向における両側から上方へ延伸している２つの枢設部と、を備え、
前記フックユニットは、前記付勢部が設置されており、且つ、前記枢設部が前記スライダ本体に対して回転できるように、前記枢設部及び前記スライダ本体に挿設されている軸を更に備えることを特徴とする請求項２〜請求項７のいずれか一項に記載のスライダ装置。
【請求項９】
前記付勢部は、前記スライダ本体に当接している第１の端部と、前記第１の端部の反対端部であって、前記フックの前記本体に当接している第２の端部と、を備えることを特徴とする請求項８に記載のスライダ装置。
【請求項１０】
前記レールは、２つの前記溝が形成されており、
前記スライダ装置の前記スライダは、２つの前記フックユニットを備え、
各前記フックユニットは、前記２つの溝の対応の１つに引っかけることができるように、前記スライダ本体の反対両側に設置されていることを特徴とする請求項２に記載のスライダ装置。
【考案の詳細な説明】
【技術分野】
【０００１】
本考案は、工作機械の状態を維持または保護する安全装置に関し、特にカバー及びそれに使用するスライダ装置に関する。
【背景技術】
【０００２】
特許文献１には、本願出願者が考案したカバーが開示されている。図１に示されるように、特許文献１のカバーは、互いに略平行する一対のレール１１と、互いに間隔を空けながら摺動可能にレール１１に設置されている複数の摺動ユニット１２と、摺動ユニット１２に設置されているカバーユニット（図示せず）とを備える。
【０００３】
各摺動ユニット１２は、レール１１に沿って摺動できるようにレール１１に設置されている２つの摺動モジュール１２１と、前記カバーユニットが設置されていると共に、２つの摺動モジュール１２１に設置されている連接棒１２２とを備える。
【０００４】
摺動モジュール１２１の摺動により、連接棒１２２に設置されているカバーユニットが展開または収縮し、そして、展開したカバーユニットにより、工作機械で加工する際に生じる加工屑を防ぐことができる。
【先行技術文献】
【特許文献】
【０００５】
【特許文献１】台湾実用新案第Ｍ５８１５１７号公報
【考案の概要】
【考案が解決しようとする課題】
【０００６】
しかしながら、特許文献１における摺動モジュール１２１は、上からレール１１に置くように設置されているので、摺動モジュール１２１は、摺動する途中レール１１から離脱しやすい。摺動モジュール１２１が離脱したら、工作機械を停止して、摺動モジュール１２１を設置し直す必要があるので、順調に使用することが難しい。
【０００７】
本願出願者は、上記問題点に鑑みて、本考案において、より順調に使用できるカバー及びそれに使用するスライダ装置の提供を目的とする。
【課題を解決するための手段】
【０００８】
上記目的を達成すべく、本考案は、
前後方向に沿って延伸しながら互いに前記前後方向と非平行な左右方向において間隔が開くように設置されており、且つ、それぞれに前記前後方向に沿って延伸する少なくとも１つの溝が形成されている一対のレールに沿って摺動できるように前記一対のレールに設置して使用するカバーであって、
前記前後方向において間隔が開くように前記一対のレールの間に設置されており、且つ、それぞれが前記左右方向に沿って延伸する複数の支持条と、
前記一対のレールに沿って摺動できるように各前記支持条の左右両端と前記一対のレールとに設置されている複数対のスライダ装置と、
各前記支持条が各前記スライダ装置と共に前記一対のレールに沿って摺動することにより、展開または折り畳まれることができるように前記支持条同士の間に設置されている複数のカバーシートと、を備え、
各前記スライダ装置は、前記レールに沿って摺動できるように前記レールに設置されているスライダを備え、
前記スライダは、
前記レールを貫通させることにより前記レールを設置するための設置空間を画成するように構成されているスライダ本体と、
前記設置空間で回転可能に前記スライダ本体に設置されていて、該回転により摺動可能に前記レールと接触するロールと、
前記溝に沿って摺動可能になるよう前記溝に引っかけることができるように前記スライダ本体に回転可能に設置されているフックユニットと、を備え、
前記フックユニットは、
前記溝に沿って摺動可能になるよう前記溝に引っかけることができるように前記スライダ本体に回転可能に枢設されているフックと、
前記スライダ本体と前記フックとに付勢するように前記スライダ本体と前記フックとに当接している付勢部と、を備え、
前記フックは、前記溝に沿って摺動可能になるよう前記溝に引っかけることができるように構成されているフック体を備え、
前記付勢部は、前記フック体を前記溝に引っかける付勢力を与えるように設置されていることを特徴とするカバーを提供する。
【０００９】
また、本考案は、
前後方向に沿って延伸しており、且つ、それぞれに前記前後方向に沿って延伸する少なくとも１つの溝が形成されているレールに沿って摺動できるように前記レールに設置して使用するスライダ装置であって、
前記スライダ装置は、前記レールに沿って摺動できるように前記レールに設置されているスライダを備え、
前記スライダは、
前記レールを貫通させることにより前記レールを設置するための設置空間を画成するように構成されているスライダ本体と、
前記設置空間で回転可能に前記スライダ本体に設置されていて、該回転により摺動可能に前記レールと接触するロールと、
前記溝に沿って摺動可能になるよう前記溝に引っかけることができるように前記スライダ本体に回転可能に設置されているフックユニットと、を備え、
前記フックユニットは、
前記溝に沿って摺動可能になるよう前記溝に引っかけることができるように前記スライダ本体に回転可能に枢設されているフックと、
前記スライダ本体と前記フックとに付勢するように前記スライダ本体と前記フックとに当接している付勢部と、を備え、
前記フックは、前記溝に沿って摺動可能になるよう前記溝に引っかけることができるように構成されているフック体を備え、
前記付勢部は、前記フック体を前記溝に引っかける付勢力を与えるように設置されていることを特徴とするスライダ装置を提供する。
【考案の効果】
【００１０】
上記の構成により、本考案のカバー及びそれに使用するスライダ装置は、スライダ装置のフックをレールの溝に引っ掛けることにより、スライダ装置が摺動する途中レールから離脱することを防止することができるので、より順調に使用できる。
【図面の簡単な説明】
【００１１】
【図１】特許文献１のカバーを示す部分斜視図である。
【図２】本考案のカバーの実施形態を示す斜視図である。
【図３】上記実施形態のカバーの部分斜視図である。
【図４】上記実施形態のカバーの部分断面図である。
【図５】上記実施形態のカバーのスライダ装置の部分斜視図である。
【図６】本考案のスライダ装置の第１の実施形態を示す部品分解図である。
【図７】上記実施形態のスライダ装置の部分側面図である。
【図８】上記実施形態のスライダ装置のフックがレールの溝に引っ掛けられる前の状態を示す断面図である。
【図９】本考案のスライダ装置の第２の実施形態を示す部分断面図である。
【図１０】上記実施形態のスライダ装置の部品分解図である。
【考案を実施するための形態】
【００１２】
以下、図面を参照しながら、本考案のカバー及びそれに使用するスライダ装置の実施形態について詳しく説明する。
【００１３】
図２は本考案のカバーの実施形態を示す斜視図である。図３は上記実施形態のカバーの部分斜視図である。図４は上記実施形態のカバーの部分断面図である。図５は上記実施形態のカバーのスライダ装置の部分斜視図である。
【００１４】
本考案のカバーの実施形態は、図２〜図４に示されるように、一対のレール９に沿って摺動できるように一対のレール９に設置して使用するものであって、複数の支持条２と、複数対の本考案のスライダ装置３００と、複数のカバーシート４とを備える。
【００１５】
一対のレール９は、図２〜図４に示されるように、前後方向Ｘに沿って延伸しながら互いに前後方向Ｘと非平行な左右方向Ｙにおいて間隔が開くように設置されている。且つ、一対のレール９は、それぞれに前後方向Ｘに沿って延伸する少なくとも１つの溝９１が形成されている。この実施形態において、前後方向Ｘと左右方向Ｙとは略直交し、各レール９は、アルミニウム押出製品であり、図４に示されるように、２つの溝９１がレール９の左右両側のそれぞれに形成されている。
【００１６】
支持条２は、図２〜図４に示されるように、前後方向Ｘにおいて間隔が開くように一対のレール９の間に設置されており、且つ、それぞれが左右方向Ｙに沿って延伸している。この実施形態において、支持条２は、アルミニウム押出製品である。
【００１７】
カバーシート４は、図２に示されるように、各支持条２が各スライダ装置３００と共に一対のレール９に沿って摺動することにより、展開または折り畳まれることができるように支持条２同士の間に設置されており、そして、展開する際、工作機械で加工する際に生じる加工屑を防ぐことができる。この実施形態において、カバーシート４は、Ｗ字状に折り畳まれることができるように構成されている。
【００１８】
本考案のスライダ装置３００は、レール９に沿って摺動できるようにレール９に設置して使用するものであって、一対のレール９に沿って摺動できるように各支持条２の左右両端と一対のレール９とに設置されている。
【００１９】
図６は本考案のスライダ装置の第１の実施形態を示す部品分解図である。図７は上記実施形態のスライダ装置の部分側面図である。図８は上記実施形態のスライダ装置のフックがレールの溝に引っ掛けられる前の状態を示す断面図である。
【００２０】
本考案のスライダ装置３００の第１の実施形態は、図４〜図６に示されるように、連接部材５と、スライダ６と、プレート７とを備える。
【００２１】
連接部材５は、図３〜図６に示されるように、左右方向Ｙに沿って延伸する長状のガイド槽５１が形成されていると共に、スライダ６の上側に設置されている。
【００２２】
この実施形態において、ガイド槽５１は、図６に示されるように、連接部材５を貫通するように形成されており、且つ、連接部材５は、図３及び図４に示されるように、左右方向Ｙに沿って延伸するものであって、一端部がガイド槽５１が形成されていると共にスライダ６の上側に設置されており、且つ、他の部分が前後方向Ｘ及び左右方向Ｙと非平行な上下方向Ｚにおける上方から、支持条２と該スライダ６との間に間隔が空くように、支持条２の一端部の頂面に設置されている。即ち、連接部材５の設置により支持条２及びスライダ６が連接されており、且つ、同じ連接部材５が設置されている支持条２及びスライダ６は、互いに間隔が空いている。この実施形態において、前後方向Ｘと左右方向Ｙと上下方向Ｚとは互いに略直交する。
【００２３】
スライダ６は、図４〜図７に示されるように、レール９に沿って摺動できるようにレール９に設置されているものであって、連接部材５の下側に設置されており、且つ、連接部材５により連接されている対応の支持条２と近接している。
【００２４】
また、スライダ６は、図６に示されるように、スライダ本体６１と、２つのロール６２と、２つのフックユニット６３とを備える。
【００２５】
スライダ本体６１は、図４及び図６に示されるように、レール９を貫通させることによりレール９を設置するための設置空間６０を画成するように構成されている。
【００２６】
また、スライダ本体６１は、図６に示されるように、ベース部６１１と、２つの側部６１２と、突起部６１３とを備える。
【００２７】
ベース部６１１は、図４に示されるように、上下方向Ｚにおいてレール６より高い位置に配置されていると共に、上面に連接部材５が設置されている
【００２８】
２つの側部６１２は、図４〜図６に示されるように、それぞれがベース部６１１の左右方向Ｙにおける両端から下へ延伸しているものである。
【００２９】
突起部６１３は、図４〜図７に示されるように、スライダ６が連接部材５に対して左右方向Ｙに沿って移動できるように、ベース部６１１から上方へ延伸してガイド槽５１で左右方向Ｙに沿って移動可能にガイド槽５１に受け入れている。この実施形態において、突起部６１３は、ガイド槽５１を通過して突出している。
【００３０】
そして、２つの側部６１２のそれぞれには、図６に示されるように、フックユニット６３を設置するための設置槽６１４が形成されている。
【００３１】
ロール６２は、図４〜図６に示されるように、左右方向Ｙに沿って延伸するものであって、ベース部６１１とレール９との間の設置空間６０に回転可能にスライダ本体６１に設置されていて、該回転により摺動可能にレール９と接触する。即ち、ロール６２により、スライダ装置３００がレール９に沿って前後に摺動できる。この実施形態において、図４〜図８に示されるように、２つのロール６２が設置空間６０の上方で２つの側部６１２に枢設されている。また、他の実施形態において、ロール６２を１つのみ設置することもできる。
【００３２】
また、この実施形態においては、突起部６１３がガイド槽５１内で左右方向Ｙに沿って移動できることにより、一対のレール９の平行度が優れていない時にも、スライダ６が連接部材５に対して左右方向Ｙに沿って移動できるので、各支持条２に設置されている一対のスライダ装置３００は、依然として一対のレール９に沿ってスムーズに摺動できる。
【００３３】
フックユニット６３は、図５〜図７に示されるように、溝９１に沿って摺動可能になるよう溝９１に引っかけることができるようにスライダ本体６１の設置槽６１４に回転可能に設置されている。この実施形態において、２つのフックユニット６３は、図４に示されるように、２つの溝９１の対応の１つに引っかけることができるように、スライダ本体６１の２つの溝９１に対応する左右両側に設置されている。
【００３４】
また、フックユニット６３は、図６に示されるように、フック６３１と、付勢部６３２と、軸６３３とを備える。
【００３５】
フック６３１は、溝９１に沿って摺動可能になるよう溝９１に引っかけることができるようにスライダ本体６１に回転可能に枢設されている。
【００３６】
付勢部６３２は、図７に示されるように、スライダ本体６１とフック６３１とに付勢するようにスライダ本体６１とフック６３１とに当接している。
【００３７】
軸６３３は、付勢部６３２が設置されており、フック６３１及びスライダ本体６１に挿設されている。
【００３８】
また、フック６３１は、図４〜図６に示されるように、溝９１に沿って摺動可能になるよう溝９１に引っかけることができるように構成されているフック体６３４と、フック体６３４が設置されている本体６３５と、本体６３５の前後方向Ｘにおける両側から上方へ延伸している２つの枢設部６３６と、を備える。
【００３９】
付勢部６３２は、フック体６３４を溝９１に引っかける付勢力を与えるように設置されている。
【００４０】
この実施形態において、付勢部６３２は、図４〜図７に示されるように、スライダ本体６１に当接している第１の端部６３７と、第１の端部６３７の反対端部であって、フック６３１の本体６３５に当接している第２の端部６３８と、を備えるねじりコイルばねである。
【００４１】
軸６３３は、図４〜図６に示されるように、前後方向Ｘに沿って延伸するものであって、付勢部６３２が設置されており、且つ、枢設部６３６がスライダ本体６１に対して回転できるように、枢設部６３６及び前記スライダ本体６１に挿設されている。
【００４２】
即ち、枢設部６３６がスライダ本体６１に対して回転することによりフック６３１全体がスライダ本体６１に対して回転する。
【００４３】
プレート７は、図５〜図７に示されるように、ガイド槽５１より高い位置で突起部６１３に設置されていると共に、形がガイド槽５１の形より大きく形成されている。この実施形態において、プレート７は、ねじにより突起部６１３に固定されており、そして、プレート７は、前後方向Ｘにおける広さがガイド槽５１の前後方向Ｘにおける広さより広い形に形成されていて、プレート７の固定により、スライダ本体６１が連接部材５に設置される。
【００４４】
なお、他の実施形態として、プレート７を使用せず、スライダ本体６１の突起部６１３を、上側の前後方向Ｘにおける広さが且つ下側の前後方向Ｘにおける広さより広い階段状に形成して、所定の角度に傾いてガイド槽５１に取り付けることにより、スライダ本体６１を、スライダ６が連接部材５に対して左右方向Ｙに沿って移動できるように、連接部材５に設置することができる。
【００４５】
また、スライダ本体６１は、図５〜図７に示されるように、ベース部６１１の上面に、連接部材５とベース部６１１との接触面間に生じる摺動摩擦を減少させるように形成されている機能部６１５を更に備えている。
【００４６】
この実施形態において、機能部６１５は、ベース部６１１の上面から凹んだ２つの槽である。
【００４７】
他の実施形態として、機能部６１５は、条状の突起、点状の突起またはつや消し構造などの連接部材５とベース部６１１との接触面積を減少したり、連接部材５とベース部６１１との間に隙間を形成したりといった、スライダ６がよりスムーズに連接部材５に対して移動できる様々な構造に形成されることもできる。
【００４８】
上記構成により、図８に示されるように、スライダ装置３００のフック６３１は、回転可能にスライダ本体６１に枢設されたものとなる。スライダ装置３００をレール９に設置する際には、フック６３１のフック体６３４がレール９に当たることにより外側へ搖動し、そして、フック体６３４がレール９の溝９１の位置に移動すると、図４に示されるように、付勢部６３２の付勢力により、フック体６３４が溝９１に移動して溝９１に引っかかり、溝９１内に位置決められる。それにより、スライダ装置３００が摺動する途中レール９から離脱することを防止することができるので、より順調に使用できる。
【００４９】
図９は本考案のスライダ装置の第２の実施形態を示す部分断面図である。図１０は上記実施形態のスライダ装置の部品分解図である。
【００５０】
本考案のスライダ装置の第２の実施形態は、第１の実施形態と類似するので、ここでは第１の実施形態と同じ構成の説明を省略し、第１の実施形態との相違点を説明する。
【００５１】
この実施形態において、図９及び図１０に示されるように、スライダ本体６１の設置槽６１４の数は１つであって、支持条２から離れた側部６１２に形成されている。そして、スライダ装置３００のフックユニット６３の数は１つであって、溝９１に沿って摺動可能になるよう溝９１に引っかけることができるように該設置槽６１４に回転可能に設置されている。
【００５２】
それにより、第２の実施形態のスライダ装置は、第１の実施形態と同じ効果を有する。
【００５３】
上記実施形態は例示的に本考案の原理及び効果を説明するものであり、本考案を制限するものではない。本技術を熟知する当業者であれば本考案の精神及び範囲から離れないという前提の下、上記の実施形態に対して若干の変更や修飾が可能で有る。従って、当業者が本考案の主旨から離れないという前提の下、行った全ての変更や修飾も本考案の保護範囲に含まれるものとされるべきである。
【産業上の利用可能性】
【００５４】
本考案のカバーは、工作機械の状態を維持または保護する安全装置として適用できる。本考案のスライダ装置は、該カバーに好適である。
【符号の説明】
【００５５】
２      支持条
３００  スライダ装置
４      カバーシート
５      連接部材
５１    ガイド槽
６      スライダ
６１    スライダ本体
６１１  ベース部
６１２  側部
６１３  突起部
６１４  設置槽
６１５  機能部
６２    ロール
６３    フックユニット
６３１  フック
６３２  付勢部
６３３  軸
６３４  フック体
６３５  本体
６３６  枢設部
６３７  第１の端部
６３８  第２の端部
７      プレート
９      レール
９１    溝
Ｘ      前後方向
Ｙ      左右方向
Ｚ      上下方向
【図１】
0003234674.tif 000003
【図２】
0003234674.tif 000004
【図３】
0003234674.tif 000005
【図４】
0003234674.tif 000006
【図５】
0003234674.tif 000007
【図６】
0003234674.tif 000008
【図７】
0003234674.tif 000009
【図８】
0003234674.tif 000010
【図９】
0003234674.tif 000011
【図１０】
0003234674.tif 000012